(57)【要約】  光ファイバ配線箇所を取り扱う光ファイバ配線装置（１０）であって、フロアレベルの下に取り付け可能なハウジング（１５）を有し；光ファイバケーブルを接続することができ、それにより光ファイバ配線箇所を提供する光ファイバモジュールを担持した引出し（１６）を有し；案内レール（１８）がハウジング（１５）に取り付けられた案内レール（１９）と一緒に働く状態で引出し（１６）に取り付けられ、それにより引出し（１６）がフロアレベルの下でハウジング（１５）内に位置決めされる第１の位置と引出し（１６）がフロアレベルの上でハウジング（１５）の外部に少なくとも部分的に位置決めされる第２の位置との間におけるハウジング（１５）に対する引出し（１６）の直線運動を可能にし；引出し（１６）に回動可能に取り付けられたロック機構体（２５）を有し、ピンが停止面を備えた弧状スロット内で案内される、光ファイバ配線装置。
2013525841.tif 000002
【特許請求の範囲】
【請求項１】
光ファイバ配線箇所を取り扱う光ファイバ配線装置であって、
フロアレベルの下に取り付け可能なハウジング（１５）を有し、
光ファイバケーブルを接続することができ、それにより光ファイバ配線箇所を提供する光ファイバモジュールを担持した引出し（１６）を有し、案内レール（１８）が前記ハウジング（１５）に取り付けられた案内レール（１９）と一緒に働く状態で前記引出し（１６）に取り付けられ、それにより、前記引出し（１６）がフロアレベルの下で前記ハウジング（１５）内に位置決めされる第１の位置と前記引出し（１６）がフロアレベルの上で前記ハウジング（１５）の外部に少なくとも部分的に位置決めされる第２の位置との間における前記ハウジング（１５）に対する前記引出し（１６）の直線運動を可能にし、
前記引出しに回動可能に取り付けられたロック機構体（２５）を有し、前記ロック機構体の重心は、前記引出し（１６）が前記第１の位置から前記第２の位置に動かされると、前記ロック機構体（２５）が前記引出し（１６）を前記第２の位置に自動的にロックするよう前記ロック機構体（２５）の回動軸線（２６）からオフセットした状態に位置決めされている、光ファイバ配線装置。
【請求項２】
前記引出し（１６）は、断面図で見て、ハンドル（２１）が取り付けられた上側頂壁（２０）を有すると共に案内レール（１８）が取り付けられた２つの互いに反対側の側壁（２２）を有するＵ字形であり、前記引出し（１６）は、前記引出しの前方側部及び後方側部が開いており、それにより、前記引出し（１６）によって担持された前記光ファイバモジュールへの２つの互いに反対側の側部からの接近が可能である、請求項１記載の光ファイバ配線装置。
【請求項３】
前記ハウジング（１５）は、断面図で見て、下側底壁（２３）を有すると共に案内レール（１９）が取り付けられた２つの互いに反対側の側壁（２４）を有するＵ字形であり、前記案内レール（１９）は、前記引出し（１６）に取り付けられた前記案内レール（１８）と一緒に働く、請求項１又は２記載の光ファイバ配線装置。
【請求項４】
前記ロック機構体（２５）は、前記引出し（１６）の側壁（２２）に回動可能に取り付けられると共に長円形の穴（３０）を備えた少なくとも１つのロックブラケット（２７）を有し、前記長円形穴（３０）は、前記ハウジング（１５）の側壁（２４）から延びているロックピン（２１）と一緒に働き、前記引出し（１６）が前記第１の位置から前記第２の位置に動かされると、前記長円形穴（３０）は、前記長円形穴（３０）内に延びる前記ロックピン（３１）に対して動かされるようになっている、請求項１〜３のうちいずれか一に記載の光ファイバ配線装置。
【請求項５】
前記ロック機構体（２５）は、２つのロックブラケット（２７）、即ち、前記引出し（１６）の第１の側壁（２２）に回動可能に取り付けられた第１のロックブラケット（２７）及び前記引出し（１６）の第２の側壁（２２）に回動可能に取り付けられた第２のロックブラケット（２７）を有する、請求項４記載の光ファイバ配線装置。
【請求項６】
前記ロックブラケット（２７）は両方とも、共通のロックハンドル（３４）によって互いに連結されている、請求項５記載の光ファイバ配線装置。
【請求項７】
各ロックブラケットは、個々のロックハンドルを有する、請求項５記載の光ファイバ配線装置。
【請求項８】
前記ロックハンドル（３４）は、前記引出しの前記ハンドル（２１）に平行に延びている、請求項６又は７記載の光ファイバ配線装置。
【請求項９】
前記引出し（１６）が前記第１の位置から前記第２の位置に動かされると、前記ロックブラケット（２７）の前記長円形穴（３０）は、それぞれのロックピン（３１）に対して動かされて前記それぞれのロックピンがそれぞれの前記長円形穴（３０）の下側境界部（３２）に作用し、前記それぞれのロックブラケット（２７）は、ロック方向に自動的に回動され、前記それぞれのロックピンが前記それぞれの長円形穴の下側ロック区分（３３）内に自動的に延び、それにより、前記引出しを前記第２の位置に自動的にロックするようになっている、請求項４〜８のうちいずれか一に記載の光ファイバ配線装置。
【請求項１０】
前記長円形穴（３０）の前記ロック区分（３３）は、前記それぞれの長円形穴のねじれた若しくは斜めの又は湾曲した区分により提供されている、請求項９記載の光ファイバ配線装置。
【請求項１１】
前記ロック機構体（２５）は、前記引出し（１６）を持ち上げ、それと同時に前記ロックハンドル（３４）を操作することによって解除可能であり、それにより、前記ロックブラケット（３７）を解除方向に回動させ、前記それぞれの長円形穴（３０）の前記下側ロック区分（３３）が前記それぞれのロックピンを前記下側ロック区分から解除し、それにより、前記引出し（１６）を前記第２の位置から解除する、請求項６〜１０のうちいずれか一に記載の光ファイバ配線装置。
【発明の詳細な説明】
【技術分野】
【０００１】
本願は、光ファイバ配線箇所を取り扱う光ファイバ配線装置に関する。
【０００２】
〔関連出願の説明〕
本願は、２０１０年４月２３日に出願された欧州特許出願第１００４３４７．０号（発明の名称：MODULE BLOCK）の優先権主張出願であり、この欧州特許出願を参照により引用し、その記載内容を本明細書の一部とする。
【背景技術】
【０００３】
フロアボックス内で用いられている光ファイバ配線装置は、例えばフロアレベルの下でデータセンター内に設置されている。例えば光ファイバモジュールと光ファイバケーブルとの間に定められた光ファイバ配線箇所は、フロアボックスのこのような光ファイバ配線装置内で取り扱われるパッチコードに似ており、従って、フロアレベルの下に位置決めされる。
【発明の概要】
【発明が解決しようとする課題】
【０００４】
このような状況により、布設者は、光ファイバ配線箇所の設置が定められなければならず又は変更されなければならない場合、フロアレベルの下の極めて心地の良くない位置で作業せざるを得なくなる。フロアレベルの下の領域は、ほぼ常に、多くの場合後側及び前側から見て空間が不足しているという特徴がある。
【課題を解決するための手段】
【０００５】
この従来技術を背景にして、光ファイバ配線箇所を取り扱う新規な光ファイバ配線装置が提供される。新規な光ファイバ配線装置は、フロアレベルの下に取り付け可能なハウジングと、光ファイバケーブルを接続することができ、それにより光ファイバ配線箇所を提供する光ファイバモジュールを担持した引出しとを有し、案内レールがハウジングに取り付けられた案内レールと一緒に働く状態で引出しに取り付けられ、それにより、引出しがフロアレベルの下でハウジング内に位置決めされる第１の位置と引出しがフロアレベルの上でハウジングの外部に少なくとも部分的に位置決めされる第２の位置との間におけるハウジングに対する引出しの直線運動を可能にし、光ファイバ配線装置は、引出しに回動可能に取り付けられたロック機構体を更に有し、ロック機構体の重心は、引出しが第１の位置から第２の位置に動かされると、ロック機構体が引出しを第２の位置に自動的にロックするようロック機構体の回動軸線からオフセットした状態に位置決めされている。
【０００６】
新規な光ファイバ配線装置により、布設者は、フロアレベルの上方で快適な位置で作業することができる。というのは、光ファイバ配線箇所をハウジングに対し、引出しを少なくとも部分的にフロアレベルの上方でハウジングの外部に位置決めされた第２の位置に動かすことができるからである。フロアレベルの上方には、後側並びに前側からの引出し及び光ファイバ配線箇所への良好な接近を可能にする広い空間が存在する。さらに、新規な光ファイバ配線装置により、引出しをこの第２の位置に自動的に極めて安全且つ容易にロックすることができ、それにより光ファイバ配線箇所への容易且つ安全な接近が提供される。
【０００７】
新規な光ファイバ配線装置の好ましい実施形態によれば、ロック機構体は、引出しの側壁に回動可能に取り付けられると共に長円形の穴を備えた少なくとも１つのロックブラケットを有し、長円形穴は、ハウジングの側壁から延びているロックピンと一緒に働く。引出しが第１の位置から第２の位置に動かされると、ロックブラケットの長円形穴は、それぞれのロックブラケットの長円形穴内に延びるそれぞれのロックピンに対して動かされてそれぞれのロックピンがそれぞれの長円形穴の下側境界部に作用し、それぞれのロックブラケットは、ロック方向に自動的に回動され、それぞれのロックピンがそれぞれの長円形穴の下側ロック区分内に自動的に受け入れられ、それにより、引出しを第２の位置に自動的にロックするようになっている。引出しは、引出し及び光ファイバモジュールの重量に起因してロックブラケット内の上述の第２の位置に自動的にロックされる。引出しは、ロック解除されるまでこのような位置に留まる。
【図面の簡単な説明】
【０００８】
【図１】フロア内に設置されている光ファイバ配線装置を示す図である。
【図２】光ファイバ配線装置の斜視図である。
【図３】図２の光ファイバ配線装置の細部を示す図である。
【図４】図２の光ファイバ配線装置の別の細部を示す図である。
【図５】図２の光ファイバ配線装置の別の細部を示す図である。
【図６】第１の状態にある図５の詳細ＶＩを示す図である。
【図７】第２の状態にある図５の詳細ＶＩを示す図である。
【発明を実施するための形態】
【０００９】
図面を元にして例示の実施形態について詳細に説明する。
【００１０】
本願は、光ファイバ配線箇所を取り扱う光ファイバ配線装置に関する。図２及び図５は各々、光ファイバ配線装置１０の一実施形態の斜視図である。図１は、フロアボックス又は床コンセント１１内に設置された光ファイバ配線装置１０を示しており、フロアボックス１１は、例えば、フロアレベル１２の下でデータセンター内に設置されている。光ファイバ配線装置１０及び光ファイバ配線装置１０により取り扱われる光ファイバ配線箇所への接近を可能にするために、布設者は、フロアタイル１３をフロアレベル１２から取り外し、フロアボックス１１の蓋１４を開けることによってフロアレベル１２の下に設置されているフロアボックス１１を開け、それによりフロアボックス１１の内部及びフロアボックス１１の内部に収納されている光ファイバ配線装置１０への接近が可能になる。
【００１１】
光ファイバ配線装置１０は、フロアレベル１２の下に、即ち、フロアボックス１１の内部に取り付け可能なハウジング１５を有している。光ファイバ配線装置１０は、引出し１６を更に有している。引出し１６は、図示の実施形態では、光ファイバモジュール（図示せず）が取り付け可能な取り付けプレート１７を有する。光ファイバ配線箇所をパッチコードのように光ファイバモジュール（図示せず）と光ファイバケーブル（図示せず）との間に定めることができる。このような光ファイバ配線箇所は、光ファイバ配線装置１０内で取り扱われ、即ち、保管され又は保護される。
【００１２】
引出し１６は、ハウジング１５に取り付けられた案内レール１９と一緒に働く案内レール１８を有し、それによりハウジング１５に対する引出し１６の直線運動が可能である。この直線運動により、引出し１６は、少なくとも２つの位置、即ち、引出し１６がハウジング１５の内側、従って、フロアレベル１２の下でフロアボックス１１の内部の内側に位置決めされる第１の位置と、引出し１６が少なくとも部分的にハウジング１５の外側に、従って、少なくとも部分的にフロアレベル１２の上でフロアボックス１１の内部の外側に位置決めされる第２の位置との間で動くことができる。
【００１３】
図５で最も良く理解できるように、引出し１６は、断面図で見てＵ字形であり、引出し１６は、ハンドル２１が取り付けられた上方頂壁２０及び案内レール１８が取り付けられた２つの反対側の側壁２２を有している。引出し１６の両方の側壁２２には２本の案内レール１８が取り付けられている。各側壁２２に取り付けられた２本の案内レール１８は、互いに垂直に位置決めされている。引出し１６は、その前方側部及び後方側部が開かれており、それにより、２つの反対側の側部からの引出し１６により担持された光ファイバモジュールへの接近が可能である。
【００１４】
ハウジング１５は、断面図で見て、これ又Ｕ字形であり、ハウジング１５は、下側底壁２３及び案内レール１９が取り付けられた２つの反対側の側部２４を有している。ハウジング１５の両方の側壁２４には２本の案内レール１９が取り付けられている。各側壁２４に取り付けられた２本の案内レール１９は、互いに垂直に位置決めされている。
【００１５】
ハウジングの側壁２４に取り付けられた案内レール１９は、引出し１６の側壁２２に取り付けられた案内レール１８と一緒になって働き、それにより、ハウジング１５に対する引出し１６の直線運動が可能である。引出し１６をフロアレベルの下の第１の位置からフロアレベルの上の第２の位置に動かすため、布設者は、ハンドル２１を用いて引出し１６をハウジング１５に対して引き上げる。引出し１６をフロアレベルの上の第２の位置からフロアレベルの下の第１の位置に動かすため、布設者は、ハンドル２１を用いて引出し１６をハウジング１５に対して押し下げる。
【００１６】
光ファイバ配線装置１０は、上述のハウジング１５及び引出し１６に加えて、ロック機構体２５を有している。ロック機構体２５は、引出し１６に回動可能に取り付けられている。ロック機構体２５の重心は、ロック機構体２５の回動軸線２６からオフセットした状態に位置決めされ、その結果、ロック機構体２５は、引出し１６が第１の位置から第２の位置に動かされたとき、引出し１６をフロアレベル１２の上の第２の位置に自動的にロックする。
【００１７】
ロック機構体２５は、引出し１６の側壁２２に回動可能に取り付けられている少なくとも１つのロックブラケット２７を有する。図示の実施形態では、ロック機構体２５は、２つのロックブラケット２７を有している。各ロックブラケット２７は、引出し１６の側壁２２のうちの一方に回動可能に取り付けられている。各ロックブラケット２７は、回動穴２８を有し、引出し１６のそれぞれの側壁２２の回動ピン２９がこの回動穴２８内に延び、それにより引出し１６に対するロック機構体２５のための回動軸線２６が提供されている。
【００１８】
ロック機構体２５の各ロックブラケット２７は、ハウジング１５のそれぞれの側壁２４から延びるロックピン３１と一緒に働く長円形の穴３０を有している。引出し１６をフロアレベルの下の第１の位置からフロアレベルの上の第２の位置に動かしたりこれとは逆に第２の位置から第１の位置に動かすと、それぞれのロックブラケット２７の長円形穴３０は、ハウジング１５のそれぞれの側壁２４のそれぞれのロックピン３１に対して動かされる。
【００１９】
引出し１６がフロアレベル１２の上の第２の位置に達すると、各ロックピン３１は、それぞれの長円形穴３０の下側縁部又は境界部３２に作用し、各ロックブラケット２７は、ロック方向に自動的に回動され、その結果、それぞれのロックピン３１は、それぞれの長円形穴３０の下側ロック区分３３内に自動的に延び、それにより引出し１６を第２の位置に自動的にロックする。
【００２０】
引出し１６は、引出し１６及び光ファイバモジュール（図示せず）の重量によりロックブラケット内の第２の位置に自動的にロックされる。引出し１６は、ロック解除されるまでこのような位置に留まる。
【００２１】
図５で最も良く理解できるように、各長円形穴３０の下側ロック区分３３は、それぞれの長円形穴３０のねじれた若しくは斜めの又は湾曲した区分により提供されている。
【００２２】
図示の実施形態では、ロック機構体２５の両方のロックブラケット２７は、共通のロックハンドル３４により互いに連結されている。ロックハンドル３４は、引出し１５のハンドル２１に平行に延びている。また、各ロックブラケットは、個々のロックハンドルを有するのが良い。
【００２３】
ロックハンドル３４は、布設者によりロック機構体２５を解除するために用いられる。ロック機構体２５は、引出し１５を持ち上げ、それと同時にロックハンドル３４を操作し、即ち、引き上げることによって解除可能であり、それにより、ロックブラケット２７をロック方向とは逆である解除方向に回動させてそれぞれのロックピン３１をそれぞれの長円形穴３０の下側ロック区分３３から解除し、それにより、引出し１６を第２の位置から解除する。ロックハンドル３４は又、ロックハンドル３４を加圧し又は押し下げることによって引出し１６を第２の位置にロックするために使用できる。
【００２４】
好ましくはフロアボックス１１と関連して用いられる新規な光ファイバ配線装置１０は、この新規な光ファイバ配線装置１０により取り扱われる光ファイバ配線箇所への改良した安全且つ容易な接近を提供する。新規な光ファイバ配線装置１０は、後方側部並びに前方側部からのフロアレベルの上のこの光ファイバ配線装置の引出し１６内で取り扱われる光ファイバ配線箇所への接近を可能にする。さらに、新規な光ファイバ配線装置１０は、光ファイバ配線装置１０の引出し１６をフロアレベルの上の位置に自動的にロックするロック機構体２５を有する。
【００２５】
新規な光ファイバ配線装置１０は、フロアレベルの上の光ファイバ配線箇所への接近を可能にすると共に前及び後ろからの光ファイバ配線箇所への接近を可能にし、しかも設置中における快適な位置を提供する。
【符号の説明】
【００２６】
１０  光ファイバ配線装置
１１  フロアボックス
１２  フロアレベル
１３  フロアタイル
１４  蓋
１５  ハウジング
１６  引出し
１７  取り付けプレート
１８  案内レール
１９  案内レール
２０  頂壁
２１  ハンドル
２２  側壁
２３  底壁
２４  側壁
２５  ロック機構体
２６  回動軸線
２７  ロックブラケット
２８  回動穴
２９  回動ピン
３０  長円形の穴
３１  ロックピン
３２  下側境界部
３３  ロック区分
３４  ロックハンドル
【図１】
2013525841.tif 000003
【図２】
2013525841.tif 000004
【図３】
2013525841.tif 000005
【図４】
2013525841.tif 000006
【図５】
2013525841.tif 000007
【図６】
2013525841.tif 000008
【図７】
2013525841.tif 000009
【手続補正書】
【提出日】平成24年10月24日(2012.10.24)
【手続補正１】
【補正対象書類名】特許請求の範囲
【補正対象項目名】全文
【補正方法】変更
【補正の内容】
【特許請求の範囲】
【請求項１】
光ファイバ配線箇所を取り扱う光ファイバ配線装置であって、
フロアレベルの下に取り付け可能なハウジング（１５）と、
光ファイバケーブルを接続することができ、それにより光ファイバ配線箇所を提供する光ファイバモジュールを担持した引出し（１６）であって、案内レール（１８）が前記ハウジング（１５）に取り付けられた案内レール（１９）と一緒に働く状態で前記引出し（１６）に取り付けられ、それにより、前記引出し（１６）がフロアレベルの下で前記ハウジング（１５）内に位置決めされる第１の位置と前記引出し（１６）がフロアレベルの上で前記ハウジング（１５）の外部に少なくとも部分的に位置決めされる第２の位置との間における前記ハウジング（１５）に対する前記引出し（１６）の直線運動を可能になる引出し（１６）と、
前記引出しに回動可能に取り付けられたロック機構体（２５）であって、前記ロック機構体の重心は、前記引出し（１６）が前記第１の位置から前記第２の位置に動かされると、前記ロック機構体（２５）が前記引出し（１６）を前記第２の位置に自動的にロックするよう前記ロック機構体（２５）の回動軸線（２６）からオフセットした状態に位置決めされているロック機構体（２５）と、を備えている、
ことを特徴とする光ファイバ配線装置。
【請求項２】
前記引出し（１６）は、断面図で見て、ハンドル（２１）が取り付けられた上側頂壁（２０）を有すると共に案内レール（１８）が取り付けられた２つの互いに反対側の側壁（２２）を有するＵ字形であり、前記引出し（１６）は、前記引出しの前方側部及び後方側部が開いており、それにより、前記引出し（１６）によって担持された前記光ファイバモジュールへの２つの互いに反対側の側部からの接近が可能である、
請求項１記載の光ファイバ配線装置。
【請求項３】
前記ハウジング（１５）は、断面図で見て、下側底壁（２３）を有すると共に案内レール（１９）が取り付けられた２つの互いに反対側の側壁（２４）を有するＵ字形であり、前記案内レール（１９）は、前記引出し（１６）に取り付けられた前記案内レール（１８）と一緒に働く、
請求項１又は２記載の光ファイバ配線装置。
【請求項４】
前記ロック機構体（２５）は、前記引出し（１６）の側壁（２２）に回動可能に取り付けられると共に長円形の穴（３０）を備えた少なくとも１つのロックブラケット（２７）を有し、前記長円形穴（３０）は、前記ハウジング（１５）の側壁（２４）から延びているロックピン（２１）と一緒に働き、前記引出し（１６）が前記第１の位置から前記第２の位置に動かされると、前記長円形穴（３０）は、前記長円形穴（３０）内に延びる前記ロックピン（３１）に対して動かされるようになっている、
請求項１記載の光ファイバ配線装置。
【請求項５】
前記ロック機構体（２５）は、２つのロックブラケット（２７）、即ち、前記引出し（１６）の第１の側壁（２２）に回動可能に取り付けられた第１のロックブラケット（２７）及び前記引出し（１６）の第２の側壁（２２）に回動可能に取り付けられた第２のロックブラケット（２７）を有する、
請求項４記載の光ファイバ配線装置。
【請求項６】
前記ロックブラケット（２７）は両方とも、共通のロックハンドル（３４）によって互いに連結されている、
請求項５記載の光ファイバ配線装置。
【請求項７】
各ロックブラケットは、個々のロックハンドルを有する、
請求項５記載の光ファイバ配線装置。
【請求項８】
前記引出し（１６）が前記第１の位置から前記第２の位置に動かされると、前記ロックブラケット（２７）の前記長円形穴（３０）は、それぞれのロックピン（３１）に対して動かされて前記それぞれのロックピンがそれぞれの前記長円形穴（３０）の下側境界部（３２）に作用し、前記それぞれのロックブラケット（２７）は、ロック方向に自動的に回動され、前記それぞれのロックピンが前記それぞれの長円形穴の下側ロック区分（３３）内に自動的に延び、それにより、前記引出しを前記第２の位置に自動的にロックするようになっている、
請求項４記載の光ファイバ配線装置。
【請求項９】
前記長円形穴（３０）の前記ロック区分（３３）は、前記それぞれの長円形穴のねじれた若しくは斜めの又は湾曲した区分により提供されている、
請求項８記載の光ファイバ配線装置。
【請求項１０】
前記ロック機構体（２５）は、前記引出し（１６）を持ち上げ、それと同時に前記ロックハンドル（３４）を操作することによって解除可能であり、それにより、前記ロックブラケット（３７）を解除方向に回動させ、前記それぞれの長円形穴（３０）の前記下側ロック区分（３３）が前記それぞれのロックピンを前記下側ロック区分から解除し、それにより、前記引出し（１６）を前記第２の位置から解除する、
請求項６〜９のいずれか１項に記載の光ファイバ配線装置。
【国際調査報告】
2013525841.tif 000010
2013525841.tif 000011
2013525841.tif 000012